(57)【要約】【課題】ＡＬＣパネルを用いて外壁が構成された既存の建築物を、外観の美しい模様の外壁を有する建築物にリフォームすることを目的とする。【解決手段】ＡＬＣパネル３からなる外壁２で構成された既存の建築物１をリフォームする方法に於て、先端に回転刃６を有するルーター４を用いてＡＬＣパネル３の表面に所定のピッチで縦溝７と横溝８とを設けてＡＬＣパネル３をＡＬＣ化粧パネル３ａに変化させることによって、建築物１を大きく変化させてリフォームする方法である。【選択図】　　　　図１
2004124536.tif 000002
【特許請求の範囲】
【請求項１】
軽量気泡コンクリートパネルからなる壁パネルで構成された既存の建築物の外壁をリフォームする方法に於て、該軽量気泡コンクリートパネルの表面に所定のピッチで縦方向及び／又は横方向に溝を設けて建築物の外壁表面の模様を変化させることを特徴としたＡＬＣ外壁のリフォーム方法。
【請求項２】
前記軽量気泡コンクリートパネルに溝を設けるに当って、先端に回転刃を有する回転切削工具を用いて施工することを特徴とした請求項１或は請求項２のＡＬＣ外壁のリフォーム方法。
【発明の詳細な説明】
【０００１】
【発明の属する技術分野】
本発明は、軽量気泡コンクリートパネル（以下ＡＬＣパネルという）からなる壁パネルで構成される既存の建築物の外壁をリフォームする方法に係り、特に表面が無地模様で形成された既存の建築物のＡＬＣパネルの表面に溝加工を施してイメージを変化させてリフォームを行うＡＬＣ外壁のリフォーム方法に関するものである。
【０００２】
【従来の技術】
近年、建物の外装材として軽量気泡コンクリートパネル（以下ＡＬＣパネルと表示する）が大量に使用され、最近では、軽量で高い耐火性と断熱性を発揮する軽量気泡コンクリートパネルを用いて外壁を構成した住宅が多くなっている。このような住宅でも、表面の塗装材は経時的に劣化するため、劣化した部分を補修することが必要となる。このような場合などに、劣化した部分を新築時と同様の状態に戻すような処理や、新築時とな異なる仕様で改修する所謂リフォームを行うことがある。
【０００３】
ＡＬＣパネルからなる壁パネルで構成される既存の建築物の外壁にリフォームを施す従来の公知技術としては、例えば次の特許文献１、特許文献２、特許文献３、特許文献４に示す技術が知られている。
【０００４】
【特許文献１】
特開２０００−２７４０４８号公報
【特許文献２】
特開２０００−２７４０４９号公報
【特許文献３】
特開２０００−２８２６６３号公報
【特許文献４】
特開２０００−５４６４９号公報
【０００５】
前述の特許文献１乃至特許文献４に記載された技術は、既存の建築物の外壁を構成するＡＬＣパネルをリフォームするに当って、いずれもＡＬＣパネルの表面に所定の間隔でタッピングビスを介して胴縁を固定し、さらにこの胴縁の上に市販のタイル・サイディングボード等の外装材を積層して外壁をリフォームしていた。
【０００６】
【発明が解決しようとする課題】
然るに、前述の公知技術のように、既存の建築物のＡＬＣパネルで構成された外壁をタイル・サイディングボード等の外装材を積層して外壁をリフォームする場合には、その表面に所定間隔を保って胴縁を取付固定し、更にこの胴縁の上にタイル・サイディングボード等の外装材を積層して固定しなければならないので、現場でこのリフォームを施工する作業が極めて煩雑であり、工期が長くなると共に、コスト高になる問題があった。
【０００７】
さらに、前述のように、既存の建物物のＡＬＣパネルよりなる外壁の全面に胴縁等を介してタイル・サイディングボード等の外装材を積層してリフォームをした場合には、新たな外壁材がパネル或いはタイルであっても大幅に重量が増加することになり、躯体に対する負担が大きくなるという問題がある。従来のリフォーム方法が上記問題点を有することから、躯体に対する重量的な負担増を招くことなく、且つ外壁のデザインを新しくすることが出来る新たなリフォーム方法の開発が要求されているのが実情である。本発明の目的は、ＡＬＣパネルによって構成した既存の外壁を、躯体の負担重量を増加させることなく異なるデザインの外壁にリフォームするための方法を提供することにある。
【０００８】
本発明に係るＡＬＣ外壁のリフォーム方法は、前述の従来のＡＬＣ外壁のリフォーム方法の多くの問題点に鑑み開発された全く新しい技術であって、特に表面が無地模様を有するＡＬＣパネルで外壁が構成された既存の建築物の外壁表面に所定のピッチで縦方向及び／又は横方向に溝を設けることによって、外壁表面の模様を大きく変化させてリフォームするようにした全く新しい方法を提供するものである。
【０００９】
【課題を解決するための手段】
本発明に係るＡＬＣ外壁のリフォーム方法は、その第１発明の要旨は、軽量気泡コンクリートパネルからなる壁パネルで構成された既存の建築物の外壁をリフォームする方法に於て、該軽量気泡コンクリートパネルの表面に所定のピッチで縦方向及び／又は横方向に溝を設けて建築物の外壁表面の模様を変化させることを特徴としたＡＬＣ外壁のリフォーム方法である。
【００１０】
前述の第１発明に於ては、既存の建築物の外壁を構成するＡＬＣパネルの表面に溝を設けてリフォームをするようにしたので、施工作業が容易であり、かつ特別の外装材やこれを取付けるための胴縁を必要としないので、極めて安価に施工することが出来る。
【００１１】
また、既存の建築物のＡＬＣパネルの表面に胴縁を介してタイル・サイディングボード等の外装材を全面的に積層して固定する必要がないので、建築物に不必要な大きな荷重がかかる心配がない。
【００１２】
さらに、本発明のＡＬＣ外壁のリフォーム方法は、既存の建築物のＡＬＣパネルの表面に所定ピッチの溝を全面的に施すので、意匠的にタイルやレンガ貼り外装のイメージを表現することが出来、全表面を美しく、しかも全体の外装のイメージを大きく変化させることが出来る。
【００１３】
本発明に係るＡＬＣ外壁のリフォーム方法の第２発明の要旨は、前記軽量気泡コンクリートパネルに溝を設けるに当って、先端に回転刃を有する回転切削工具を用いて施工することを特徴とした第１発明のＡＬＣ外壁のリフォーム方法である。
【００１４】
前述の第２発明に於ては、前述のようにＡＬＣパネルの表面に前記溝を設けるに当っては、先端に回転刃を有する回転切削工具を用いて施工したので、ＡＬＣパネルの表面を回転刃で切削しながら所定の巾と深さとを有する溝の溝加工の作業を容易に効率良く施工することが出来る。また、回転切削工具の回転刃を用いて溝を形成した場合には、ＡＬＣパネルの表面に美しいタイル模様やレンガ模様を現出することが出来る。
【００１５】
【発明の実施の形態】
図により本発明に係るＡＬＣ外壁のリフォーム方法の一実施例を具体的に説明すると、図１は本発明の方法を用いてリフォームを実施した住宅の例を示す説明図、図２はリフォームする以前の住宅の例を示す説明図、図３はルーターを使用して既存の建築物のＡＬＣパネルに溝加工を施工している状態の説明図、図４は図３のルーターの拡大説明図、図５は図４のルーターによって溝加工が施された一部のＡＬＣパネルの説明図である。
【００１６】
図２に於て、１は既存の建築物であって、その建築物１の外壁２には表面が無地模様の複数のＡＬＣパネル３が順に並列されて全面的に張設されている。
【００１７】
次に、図２に示す既存の建築物１の外壁２に本発明に係るリフォーム方法を実施する具体例について説明する。本発明のリフォーム方法を施工するに当っては、例えば図４及び図５に示す如く、建築物１の所定の外壁２の表面に回転切削工具（ルーター）４のガイド冶具５を一時的に保持固定する。
【００１８】
その後で、ガイド冶具５を利用してルーター４を順に摺動して、ルーター４の先端に設けられた回転刃６をＡＬＣパネル３の表面に当接して移動することによって、特に図５に示す如く、ＡＬＣパネル３の表面に所定の巾と深さとを有する縦溝７及び横溝８を穿設して、溝による化粧が施されたＡＬＣ化粧パネル３ａを形成することが出来る。
【００１９】
一般的ＡＬＣパネル３は軸巾（横）が６００ｍｍで形成されているが、このＡＬＣパネル３に設ける溝のピッチは、縦溝７のピッチを１００〜軸巾（横）／２ｍｍ、横溝８のピッチを５０〜１００ｍｍに形成してＡＬＣ化粧パネル３ａを構成した場合に、建築物１の外壁２に見栄えの良いレンガ模様やタイル模様を現出させることが出来、これによって外壁２の外観の模様を見栄え良く、変化させることが出来る。
【００２０】
前述のルーター４を使用して、建築物１の外壁２のＡＬＣパネル３の表面に溝加工を施す工程について詳述すると次の通りである。
【００２１】
即ち、図３乃至図５に於て、先ずガイド冶具５の構成について説明する。このガイド冶具５は、第１フレーム９と、この第１フレーム９に沿って摺動し得る第２フレーム１０と、該第２フレーム１０に沿って摺動し得る溝加工用のルーター４と、第１フレーム９を外壁２の表面に沿って保持し得るクサビ１１等の保持具によって構成されている。
【００２２】
前記第１フレーム９は、図に示す如く、垂直方向に平行に並列された一対のガイドレール１２と、これ等のガイドレール１２に所定の間隔を保って掛け渡された複数の棧１３とより構成されている。
【００２３】
前記第２フレーム１０は、第１フレーム９の一対のガイドレール１２に掛け渡すことが可能な長方形の枠より形成されており、該一対のガイドレール１２に沿って上下方向（縦方向）にスライド可能に取付けられている。この第２フレーム３の両側には取手１０が取付けられている。また、第２フレーム１０は、第１フレーム９の棧１３に対応する所定の位置で停止することが出来るように構成されている。
【００２４】
前記ルーター４は、枠状の第２フレーム１０の上下縁に設けられた一対のガイドレール１０ａに沿って左右方向（横方向）、即ち水平方向にスライドすることが出来るように構成されている。前述のガイド冶具５を外壁２の表面に一時的に保持固定する場合には、ガイド冶具５の上縁に取付けられたクサビ１１を外壁２に設けられた水平目地１５内に差し込むことによって、第１フレーム９を外壁２に沿って保持することが出来る。
【００２５】
ルーター４で外壁２の表面に溝加工を施す場合には、第１フレーム９を外壁２の表面に所定の距離を保って保持固定した後、第２フレーム１０を第１フレーム９に沿って順に上下方向に移動すると共に、ルーター４を第２フレーム１０に沿って水平方向に移動させながら、そのルーター４の先端に設けられた回転刃６を外壁２の表面のＡＬＣパネル３に当接することによって、常に巾と深さとが均一で、かつ直線状の縦溝７及び横溝８を夫々正確な間隔を保って精度良く形成することが出来る。
【００２６】
ルーター４の先端部には回転刃６が取付けられているので、この回転刃６をＡＬＣパネル３の表面に当接することによって、ＡＬＣパネル３の表面を回転刃６で剥離するように切削して美しい縦溝７及び横溝８をＡＬＣパネル３の表面に効率良く穿設し、前述のような天然調のタイル模様或はレンガ模様が表示されたＡＬＣ化粧パネル３ａを形成し、建築物１の外壁２の外観を著しく変化させることが出来る。
【００２７】
【発明の効果】
本発明に係るＡＬＣ外壁のリフォーム方法に於ては、既存の建築物の外壁を構成するＡＬＣパネルの表面に溝を設けてリフォームをするようにしたので、施工作業が容易であり、かつ特別の外装材やこれを取付けるための胴縁を必要としないので、極めて安価で施工することが出来る効果を有している。
【００２８】
また、既存の建築物のＡＬＣパネルの表面に胴縁を介してタイル・サイディングボード等の外装材を全面的に積層して固定する必要がないので、建築物に不必要な大きな荷重がかかる心配がない効果も有する。
【００２９】
さらに、本発明のＡＬＣ外壁のリフォーム方法は、意匠的にタイルやレンガ貼り外装のイメージを表現することが出来る効果を有し、全表面を美しく、しかも全体の外装のイメージを大きく変化させることが出来る効果を有している。
【図面の簡単な説明】
【図１】本発明の方法を用いてリフォームを実施した住宅の例を示す説明図である。
【図２】リフォームする以前の住宅の例を示す説明図である。
【図３】ルーターを使用して既存の建築物のＡＬＣパネルに溝加工を施工している状態の説明図である。
【図４】図３のルーターの拡大説明図である。
【図５】図４のルーターによって溝加工が施された一部のＡＬＣパネルの説明図である。
【符号の説明】
１　　　建築物
２　　　外壁
３　　　ＡＬＣパネル
３ａ　　ＡＬＣ化粧パネル
４　　　ルーター
５　　　ガイド冶具
６　　　回転刃
７　　　縦溝
８　　　横溝
９　　　第１フレーム
１０　　第２フレーム
１０ａ　ガイドレール
１１　　クサビ
１２　　ガイドレール
１３　　棧
【図１】
2004124536.tif 000003
【図２】
2004124536.tif 000004
【図３】
2004124536.tif 000005
【図４】
2004124536.tif 000006
【図５】
2004124536.tif 000007